(57)【要約】【課題】より操作性の高い撮像装置を提供する。【解決手段】撮像装置は、所定の機能が固定的に割り当てられた第１の操作部材（例えば、ボタン８４，８５，８６，８７，８８ａ〜８８ｄ等）と、割り当て機能のカスタマイズが可能な第２の操作部材（例えば、カスタムキーＣ１，Ｃ２，Ｃ３等）とを備える。第２の操作部材は、撮像装置の標準姿勢における背面右側領域内に配置される。また、第１の操作部材に割り当てられた所定の機能は、第２の操作部材にも割り当て可能である。【選択図】図１
2008098819.tif 000002
【特許請求の範囲】
【請求項１】
撮像装置であって、
所定の機能が固定的に割り当てられた第１の操作部材と、
割り当て機能のカスタマイズが可能な第２の操作部材と、
を備え、
前記第２の操作部材は、前記撮像装置の標準姿勢における背面右側領域内に配置され、
前記第１の操作部材に割り当てられた前記所定の機能は、前記第２の操作部材にも割り当て可能であることを特徴とする撮像装置。
【請求項２】
請求項１に記載の撮像装置において、
前記撮像装置の背面に設けられた光学ファインダ、
をさらに備え、
前記第２の操作部材は、前記光学ファインダよりも右側に配置されていることを特徴とする撮像装置。
【請求項３】
請求項１に記載の撮像装置において、
前記撮像装置の背面に設けられた表示部、
をさらに備え、
前記第２の操作部材は、前記表示部よりも右側に配置されていることを特徴とする撮像装置。
【請求項４】
請求項１に記載の撮像装置において、
前記第２の操作部材は、前記背面右側領域のうち右側周縁部を除いた領域に配置されていることを特徴とする撮像装置。
【請求項５】
請求項１に記載の撮像装置において、
前記第２の操作部材は、前記背面右側領域のうち上側周縁部を除いた領域に配置されていることを特徴とする撮像装置。
【請求項６】
請求項１に記載の撮像装置において、
前記第２の操作部材は、前記撮像装置の標準姿勢における背面右側領域と前記撮像装置の縦姿勢における背面右側領域との積領域内に配置されていることを特徴とする撮像装置。
【請求項７】
請求項６に記載の撮像装置において、
前記第１の操作部材は、前記撮像装置の標準姿勢における背面右側領域内に配置されていることを特徴とする撮像装置。
【請求項８】
請求項１に記載の撮像装置において、
前記第１の操作部材自体あるいはその周辺領域には、当該第１の操作部材に固定的に割り当てられた前記所定の機能を示す表示が付されていることを特徴とする撮像装置。
【請求項９】
請求項１に記載の撮像装置において、
前記第２の操作部材はボタン式操作部材であり、
当該ボタン式操作部材の押下期間の相違に応じて複数の押下状態が区別して検出され、前記複数の押下状態のそれぞれに対して異なる機能が割り当て可能であることを特徴とする撮像装置。
【請求項１０】
撮像装置であって、
所定の機能が固定的に割り当てられた第１の操作部材と、
割り当て機能のカスタマイズが可能な第２の操作部材と、
を備え、
前記第２の操作部材は、前記撮像装置の標準姿勢での撮影において操作者が当該撮像装置を右手を用いて把持するとき、当該右手の右手親指以外の部分の把持状態を実質的に変更することなく当該右手親指の関節を動かすことによって当該右手親指による操作が可能な範囲である、第１の領域内に配置され、
前記第１の操作部材に割り当てられた前記所定の機能は、前記第２の操作部材にも割り当て可能であることを特徴とする撮像装置。
【請求項１１】
請求項１０に記載の撮像装置において、
前記第２の操作部材は、前記撮像装置の縦姿勢での撮影において操作者が当該撮像装置を右手を用いて把持する把持状態を維持したまま当該右手の親指による操作が可能な範囲である第２の領域と、前記第１の領域との積領域内に配置されていることを特徴とする撮像装置。
【請求項１２】
請求項１１に記載の撮像装置において、
前記第１の操作部材は、前記第１の領域内に配置されていることを特徴とする撮像装置。
【請求項１３】
請求項１１に記載の撮像装置において、
前記第１の操作部材は、前記撮像装置の標準姿勢における背面右側領域内に配置されていることを特徴とする撮像装置。
【請求項１４】
請求項１０に記載の撮像装置において、
前記第１の操作部材自体あるいはその周辺領域には、当該第１の操作部材に固定的に割り当てられた前記所定の機能を示す表示が付されていることを特徴とする撮像装置。
【請求項１５】
請求項１０に記載の撮像装置において、
前記第２の操作部材はボタン式操作部材であり、
当該ボタン式操作部材の押下期間の相違に応じて複数の押下状態が区別して検出され、前記複数の押下状態のそれぞれに対して異なる機能が割り当て可能であることを特徴とする撮像装置。
【発明の詳細な説明】
【技術分野】
【０００１】
本発明は、デジタルカメラなどの撮像装置に関する。
【背景技術】
【０００２】
デジタルカメラなどの撮像装置においては、メニュー画面を呼び出してメニュー内の項目を選択することによって様々な機能を実現する操作が行われることがある。このような技術においては、或る機能を実現するために、メニュー画面を用いた比較的複雑な操作を行う必要がある。
【０００３】
ところが、利用頻度の比較的高い機能を利用するたびにメニュー画面を呼び出すのでは非常に操作性が悪い。
【０００４】
そこで、或るユーザにとって利用頻度の高い所定の機能を操作部材（ボタン等）に割り当て、当該操作部材を操作することによって、所望の機能を簡易に実現することが可能な技術が存在する（例えば特許文献１参照）。
【０００５】
【特許文献１】特開２００２−２６２１５２号公報
【発明の開示】
【発明が解決しようとする課題】
【０００６】
しかしながら、この技術において、上記のような割り当て機能のカスタマイズが可能な操作部材の位置については十分な考慮がなされているとは言えない。
【０００７】
例えば、上記の特許文献１の技術においては、割り当て機能のカスタマイズ可能な操作部材が背面左側に設けられている。撮影者は主に右手を用いて撮像装置の本体部右側を把持することが多いが、このような場合に当該操作部材を操作するには、他の部分（レンズ部分等）を把持していた左手（多くの場合利き手でない）を使ったり、あるいは一旦右手による把持状態を解除した後に右手を使うことになるため、操作性は十分なものであるとは言えない。
【０００８】
そこで、この発明の課題は、より操作性の高い撮像装置を提供することにある。
【課題を解決するための手段】
【０００９】
本発明の第１の側面は、撮像装置であって、所定の機能が固定的に割り当てられた第１の操作部材と、割り当て機能のカスタマイズが可能な第２の操作部材と、を備え、前記第２の操作部材は、前記撮像装置の標準姿勢における背面右側領域内に配置され、前記第１の操作部材に割り当てられた前記所定の機能は、前記第２の操作部材にも割り当て可能であることを特徴とする撮像装置である。
【００１０】
本発明の第２の側面は、撮像装置であって、所定の機能が固定的に割り当てられた第１の操作部材と、割り当て機能のカスタマイズが可能な第２の操作部材と、を備え、前記第２の操作部材は、前記撮像装置の標準姿勢での撮影において操作者が当該撮像装置を右手を用いて把持するとき、当該右手の右手親指以外の部分の把持状態を実質的に変更することなく当該右手親指の関節を動かすことによって当該右手親指による操作が可能な範囲である、第１の領域内に配置され、前記第１の操作部材に割り当てられた前記所定の機能は、前記第２の操作部材にも割り当て可能であることを特徴とする撮像装置である。
【発明の効果】
【００１１】
本発明の第１の側面によれば、第２の操作部材は、撮像装置の標準姿勢における背面右側領域内に配置されているため、高い操作性を得ることができる。また、第１の操作部材に固定的に割り当てられている所定の機能は第２の操作部材にも割り当て可能であるので、第２の操作部材を必ずしも用いることなく適宜に第１の操作部材を用いて当該機能を実現することが可能である。
【００１２】
本発明の第２の側面によれば、第２の操作部材は、第１の領域（すなわち撮像装置の標準姿勢での撮影において操作者が当該撮像装置を右手を用いて把持するとき、当該右手の右手親指以外の部分の把持状態を実質的に変更することなく当該右手親指の関節を動かすことによって当該右手親指による操作が可能な範囲）内に配置されているため、高い操作性を得ることができる。また、第１の操作部材に割り当てられている所定の機能は第２の操作部材にも割り当て可能であるので、第２の操作部材を必ずしも用いることなく適宜に第１の操作部材を用いて当該機能を実現することも可能である。
【発明を実施するための最良の形態】
【００１３】
＜１．第１実施形態＞
＜１−１．装置概要＞
図１および図２は、第１実施形態に係る撮像装置１の外観構成を示す図である。図１は、撮像装置１の背面外観図であり、図２は、撮像装置１の上面外観図である。この撮像装置１は、レンズ交換式一眼レフレックスタイプのデジタルカメラとして構成されている。
【００１４】
図２等に示すように、撮像装置１は、カメラ本体部（カメラボディ）２を備えている。また、このカメラ本体部２に対して、交換式の撮影レンズユニット（交換レンズ）３が着脱可能である。
【００１５】
撮影レンズユニット３は、主として、鏡胴３６、ならびに、鏡胴３６の内部に設けられるレンズ群３７（図３参照）及び絞り等によって構成される。レンズ群３７には、光軸方向に移動することによって焦点位置を変更するフォーカスレンズ等が含まれている。
【００１６】
カメラ本体部２は、撮影レンズユニット３が装着される円環状のマウント部Ｍｔ（不図示）を正面略中央に備え、撮影レンズユニット３を着脱するための着脱ボタン８９を円環状のマウント部Ｍｔ付近に備えている。
【００１７】
また、カメラ本体部２は、正面左端部（背面から見て右側）に撮影者が把持するためのグリップ部１４を備えている。グリップ部１４の上面前側には露光開始等を指示するためのシャッターボタン１１が設けられている。グリップ部１４の内部には電池収納室とカード収納室とが設けられている。電池収納室にはカメラの電源として、例えば４本の単３形乾電池が収納されており、カード収納室には撮影画像の画像データを記録するためのメモリカード９０（図３参照）が着脱可能に収納されるようになっている。
【００１８】
シャッターボタン１１は、半押し状態（Ｓ１状態）と全押し状態（Ｓ２状態）との２つの状態を検出可能な２段階検出ボタンである。シャッターボタン１１が半押しされＳ１状態になると、被写体に関する記録用静止画像（本撮影画像）を取得するための準備動作（例えば、ＡＦ制御動作およびＡＥ制御動作等）が行われる。また、シャッターボタン１１がさらに押し込まれてＳ２状態になると、当該本撮影画像の撮影動作（撮像素子５（後述）を用いて被写体像に関する露光動作を行い、その露光動作によって得られた画像信号に所定の画像処理を施す一連の動作）が行われる。
【００１９】
図１において、カメラ本体部２の背面略中央上部には、光学ファインダ１０が設けられている。光学ファインダ１０には、撮影レンズユニット３からの被写体像が導かれる。撮影者は、光学ファインダ１０を覗くことによって、被写体を視認することができる。より具体的には、撮影レンズユニット３を通過してきた被写体像を、ミラー機構６(図３参照)で上方に反射させ、ペンタプリズムを通した像を接眼レンズを介して見ることで、被写体像を視認することができる。このように、光学ファインダ１０を用いて構図決めを行うことが可能である。なお、本撮影画像の撮影時においては、ミラー機構６は被写体像の光路から待避し、撮影レンズユニット３からの光がシャッタ４（図３参照）の開放タイミングに合わせて撮像素子５に到達し、被写体に係る撮影画像（撮影画像データ）が得られる。
【００２０】
カメラ本体部２の背面の略中央（より詳細には若干左寄りの位置）には、背面モニタ１２が設けられている。背面モニタ１２は、例えばカラー液晶ディスプレイ（ＬＣＤ）として構成される。背面モニタ１２は、撮影条件等を設定するためのメニュー画面を表示したり、再生モードにおいてメモリカード９０に記録された撮影画像を再生表示したりすることが可能な表示部である。
【００２１】
カメラ本体部２の背面右下部、より詳細には背面モニタ１２の右下部には、メインスイッチ８１が設けられている。メインスイッチ８１はレバー式スイッチとして構成され、メインスイッチ８１のレバー部を左方の「ＯＦＦ」位置に設定すると、電源がオフになり、当該レバー部を右方の「ＯＮ」位置に設定すると、電源がオンになる。
【００２２】
カメラ本体部２の背面右上部、より詳細には背面モニタ１２の右側には、マルチセレクタ８３が設けられている。このマルチセレクタ８３は、ジョイスティックタイプの操作部材であり、そのスティック部８３ｅを上下左右の４方向に傾ける操作をそれぞれ検出することが可能であるとともに、当該スティック部８３ｅの押下操作をも検出することが可能である。
【００２３】
また、カメラ本体部２の背面右上部、より詳細には背面モニタ１２の右側且つマルチセレクタ８３の上側には、後側コマンドダイヤル８２と、ＡＦ／ＭＦコントロールボタン８４と、ＡＥロックボタン８５と、再生ボタン８６とが設けられている。
【００２４】
後側コマンドダイヤル８２は、回転式の操作部材であり、その回転操作に応じて各種の設定内容を変更することが可能である。
【００２５】
ＡＦ／ＭＦコントロールボタン８４は、オートフォーカス（ＡＦ）とマニュアルフォーカス（ＭＦ）との切り換え指示を受け付けるボタンである。撮影状態において、このボタン８４を押下するごとに、オートフォーカス（ＡＦ）とマニュアルフォーカス（ＭＦ）とが順次に切り替わる。
【００２６】
ＡＥロックボタン８５は、撮影時において自動露光動作によって調整された露光状態を固定する「ＡＥロック」の指示を受け付けるボタンである。ＡＥロックボタン８５は、フラッシュ撮影時には「スローシンクロボタン」としても機能する。また、ＡＥロックボタン８５は、再生時においては、再生対象画像の削除すべき旨の削除指示を受け付ける「削除ボタン」としても機能する。
【００２７】
再生ボタン８６は、再生モードへの変更指示を受け付けるボタンである。換言すれば、再生ボタン８６は、再生モードへの変更指示機能（再生モードの呼出機能）が割り付けられたボタンである。撮影状態において再生ボタン８６が押下されると、撮影装置１は再生モードに移行し、撮影済み画像が背面モニタ１２に表示される。
【００２８】
また、カメラ本体部２の背面右側部、より詳細には背面モニタ１２の右側には、３つの押しボタン式のカスタムキー（カスタムボタンとも称される）Ｃ１，Ｃ２，Ｃ３が配置されている。各カスタムキーＣ１，Ｃ２，Ｃ３は、ユーザによって機能を可変的に割り当てることが可能なハードキーである。換言すれば、各カスタムキーＣ１，Ｃ２，Ｃ３は、割り当て機能のカスタマイズが可能な操作部材である。これらのカスタムキーＣ１，Ｃ２，Ｃ３については後述する。
【００２９】
また、カメラ本体部２の背面左側部、より詳細には背面モニタ１２の左側には、メニューボタン８７と、ファンクションボタン８８ａと、メモリー切換ボタン８８ｂと、画質調整ボタン８８ｃと、画面切換ボタン８８ｄとが設けられている。
【００３０】
メニューボタン８７は、メニュー画面の表示機能（呼出機能）を実現するボタンである。メニューボタン８７が押下されると、各種設定を行うための複数の項目を有するメニュー画面が背面モニタ１２に表示される。
【００３１】
ファンクションボタン８８ａは、上記メニュー画面に含まれる複数の項目のうちの一部の項目に関するサブメニュー画面を背面モニタ１２に表示させる機能（呼出機能）を実現するボタンである。例えば、撮影時にファンクションボタン８８ａが押下されると撮影用のメニュー画面が背面モニタ１２に表示され、再生時にファンクションボタン８８ａが押下されると再生用のメニュー画面が背面モニタ１２に表示される。
【００３２】
メモリー切換ボタン８８ｂは、撮影画像の記録先の記録媒体（メモリカード等）を切り換えるボタンである。この撮像装置１においては、複数の種類のメモリカードを撮像装置１内の各所定位置にいずれも装填しておくことが可能である。メモリー切換ボタン８８ｂの押下操作等によれば、複数の種類のメモリカードが装填された場合にいずれの種類のメモリカードを記録先として選択するかを予め設定しておくことができる。
【００３３】
画質調整ボタン８８ｃは、記録画像の画質（スタンダード、ファイン、ＲＡＷ等）を選択的に設定するためのボタンである。記録画像の画質は、圧縮（ＪＰＥＧ圧縮等）の有無を切り換えること、あるいは圧縮記録時の圧縮率を切り換えることによって、変更される。
【００３４】
画面切換ボタン８８ｄは、再生画像に重畳的に撮影情報を表示させるか否か、および重畳的に表示する撮影情報の内容を切り換えるボタンである。例えば、画面切換ボタン８８ｄの押下によって、再生画像のみを表示する画面と、再生画像上に文字情報を重畳的に表示させる画面と、輝度に関するヒストグラムを再生画像上に重畳的に表示させる画面とを、選択的且つ循環的に切り換えることが可能である。
【００３５】
また、図２に示すように、カメラ本体部２の上面には、モード設定ボタン９２と、ライトボタン９３と、ホワイトバランスボタン９４ａと、ＩＳＯ感度ボタン９４ｂと、露出補正ボタン９４ｃと、調光補正ボタン９４ｄと、液晶表示パネル９６とが設けられている。また、シャッターボタン１１の前側には、前側コマンドダイヤル９１が設けられている。
【００３６】
前側コマンドダイヤル９１は、回転式の操作部材であり、その回転操作に応じて各種の設定内容を変更することが可能である。
【００３７】
モード設定ボタン９２は、カメラの各種モードの設定動作（切替動作）を行うための操作部材である。モード設定ボタン９２を押下するごとに、設定内容が順次に（且つ循環的に）変更され、設定内容が決定される。このようなモード設定ボタン９２の押下操作によって、各種撮影モード（具体的には、Ｐモード（プログラムモード）、Ａモード（絞り優先モード）、Ｓモード（シャッタスピード優先モード）、Ｍモード（マニュアルモード）、人物撮影モード、風景撮影モード、およびフルオート撮影モード等）のうちから、所望のモードを選択することができる。
【００３８】
ホワイトバランスボタン９４ａは、ホワイトバランスの調整を行うためのボタンであり、ＩＳＯ感度ボタン９４ｂは、ＩＳＯ感度の調整を行うためのボタンである。露出補正ボタン９４ｃは、画像全体の明るさを補正する露出補正を行うためのボタンであり、調光補正ボタン９４ｄは、フラッシュの発光量を調整する調光補正を行うためのボタンである。
【００３９】
液晶表示パネル９６は、現在の各種設定内容を表示する表示部である。液晶表示パネル９６のバックライトのオンおよびオフは、ライトボタン９３の押下操作に応じて変更される。
【００４０】
また、後側コマンドダイヤル８２あるいは前側コマンドダイヤル９１を操作することによれば、各種撮影モードにおける制御値を設定することが可能である。例えば、Ｓモード（シャッタスピード優先モード）においては、前側コマンドダイヤル９１の回転操作によって複数段階の設定可能値の中から所望のシャッタスピードを選択することが可能である。さらに、ＩＳＯ感度ボタン９４ｂの押下後に、前側コマンドダイヤル９１を回転させることによって、複数段階の設定可能値の中から所望の値を選択してＩＳＯ感度値を設定することが可能である。同様に、ホワイトバランスボタン９４ａと前側コマンドダイヤル９１との組合せ、露出補正ボタン９４ｃと前側コマンドダイヤル９１との組合せ、あるいは、調光補正ボタン９４ｄと前側コマンドダイヤル９１との組合せによっても、同様の設定操作でそれぞれのボタンに対応する設定内容を決定することが可能である。なお、前側コマンドダイヤル９１に代えて後側コマンドダイヤル８２を使用することによっても同様の設定操作を行うことが可能である。
【００４１】
また、上述の各ボタン８４，８５，８６，８７，８８ａ〜８８ｄ，９２，９３，９４ａ〜９４ｄ等の周辺領域または当該各ボタン自体には、それぞれ、当該各ボタンに固定的に割り当てられている機能の内容が文字あるいは図形（マーク）等で示されている。これらの表示内容は、カメラ本体部２の該当部分にシルク印刷処理等によって付着されている。例えば、再生ボタン８６の中央部には、再生機能（再生モードの呼出機能）を表す図形がシルク印刷されている。また、メニューボタン８７の中央部には、「ＭＥＮＵ」の４文字がシルク印刷されている。
【００４２】
＜１−２．機能ブロック＞
つぎに、図３を参照しながら、撮像装置１の機能ブロックについて説明する。図３は、撮像装置１の機能構成を示すブロック図である。
【００４３】
図３に示すように、撮像装置１は、操作部８０、全体制御部１０１、フォーカス制御部１２１、ミラー制御部１２２、シャッタ制御部１２３、タイミング制御回路１２４、およびデジタル信号処理回路５０等を備える。
【００４４】
操作部８０は、シャッターボタン１１（図１参照）を含む各種ボタンおよびスイッチ等を備えて構成される。操作部８０に対するユーザーの入力操作に応答して、全体制御部１０１が各種動作を実現する。
【００４５】
全体制御部１０１は、マイクロコンピュータとして構成され、主にＣＰＵ、メモリ、及びＲＯＭ等を備える。全体制御部１０１は、ＲＯＭ内に格納されるプログラムを読み出し、当該プログラムをＣＰＵで実行することによって、各種機能を実現する。例えば、全体制御部１０１は、ＡＦモジュール２０およびフォーカス制御部１２１等と協動して、フォーカスレンズの位置を制御する合焦制御動作を行う。全体制御部１０１は、ＡＦモジュール２０によって検出される被写体の合焦状態に応じて、フォーカス制御部１２１を用いてＡＦ動作を実現する。なお、ＡＦモジュール２０は、ミラー機構６を介して進入してきた光を用いて、位相差方式等の合焦状態検出手法により被写体の合焦状態を検出することが可能である。
【００４６】
フォーカス制御部１２１は、全体制御部１０１から入力される信号に基づいて制御信号を生成しモータＭ１を駆動することによって、撮影レンズユニット３のレンズ群３７に含まれるフォーカスレンズを移動する。また、フォーカスレンズの位置は、撮影レンズユニット３のレンズ位置検出部３９によって検出され、フォーカスレンズの位置を示すデータが全体制御部１０１に送られる。このように、フォーカス制御部１２１および全体制御部１０１等は、フォーカスレンズの光軸方向の動きを制御する。
【００４７】
ミラー制御部１２２は、ミラー機構６が光路から退避した状態（ミラーアップ状態）とミラー機構６が光路を遮断した状態（ミラーダウン状態）との状態切替を制御する。ミラー制御部１２２は、全体制御部１０１から入力される信号に基づいて制御信号を生成しモータＭ２を駆動することによって、ミラーアップ状態とミラーダウン状態とを切り替える。
【００４８】
シャッタ制御部１２３は、全体制御部１０１から入力される信号に基づいて制御信号を生成しモータＭ３を駆動することによって、シャッタ４の開閉を制御する。
【００４９】
タイミング制御回路１２４は、撮像素子５等に対するタイミング制御を行う。
【００５０】
撮像素子（ここではＣＣＤセンサ（単にＣＣＤとも称する））５は、光電変換作用により被写体の光像を電気的信号に変換して、撮像画像に係る画像信号を生成する。撮像素子５は、タイミング制御回路１２４から入力される駆動制御信号（蓄積開始信号および蓄積終了信号）に応答して、受光面に結像された被写体像の露光（光電変換による電荷蓄積）を行い、当該被写体像に係る画像信号を生成する。また、撮像素子５は、タイミング制御回路１２４から入力される読出制御信号に応答して、当該画像信号を信号処理部５１へ出力する。また、タイミング制御回路１２４からのタイミング信号（同期信号）は、信号処理部５１及びＡ／Ｄ（アナログ／デジタル）変換回路５２にも入力される。
【００５１】
撮像素子５で取得された画像信号は、信号処理部５１において所定のアナログ信号処理が施され、当該アナログ信号処理後の画像信号はＡ／Ｄ変換回路５２によってデジタル画像データ（画像データ）に変換される。この画像データは、デジタル信号処理回路５０に入力される。
【００５２】
デジタル信号処理回路５０は、Ａ／Ｄ変換回路５２から入力される画像データに対してデジタル信号処理を行い、撮像画像に係る画像データを生成する。デジタル信号処理回路５０は、黒レベル補正回路５３、ホワイトバランス（ＷＢ）回路５４、γ補正回路５５及び画像メモリ５６を備える。
【００５３】
黒レベル補正回路５３は、Ａ／Ｄ変換回路５２が出力した画像データを構成する各画素データの黒レベルを基準の黒レベルに補正する。ＷＢ回路５４は、画像のホワイトバランス調整を行う。γ補正回路５５は、撮像画像の階調変換を行う。画像メモリ５６は、生成された画像データを一時的に記憶するための、高速アクセス可能な画像メモリであり、複数フレーム分の画像データを記憶可能な容量を有する。
【００５４】
本撮影時には、画像メモリ５６に一時記憶される画像データは、全体制御部１０１において適宜画像処理が施され、カードＩ／Ｆ１３２を介してメモリカード９０に記憶される。
【００５５】
また、画像メモリ５６に一時記憶される画像データは、全体制御部１０１によって適宜ＶＲＡＭ１３１に転送され、背面モニタ１２に画像データに基づく画像が表示される。これによって、撮影画像を確認するための確認表示（アフタービュー）、および撮影済みの画像を再生する再生表示等が実現される。
【００５６】
さらに、撮像装置１は、通信用Ｉ／Ｆ１３３を有しており、当該インターフェイス１３３の接続先の機器（例えば、パーソナルコンピュータ等）とデータ通信をすることが可能である。
【００５７】
また、撮像装置１は、フラッシュ４１、フラッシュ制御回路４２、およびＡＦ補助光発光部４３を備えている。フラッシュ４１は、被写体の輝度不足時等に利用される光源である。フラッシュの点灯の有無および点灯時間等は、フラッシュ制御回路４２および全体制御部１０１等によって制御される。ＡＦ補助光発光部４３は、ＡＦ用の補助光源である。ＡＦ補助光発光部４３の点灯の有無および点灯時間等は、全体制御部１０１等によって制御される。
【００５８】
さらに、撮像装置１は、不揮発性メモリ１３５を備えている。不揮発性メモリ１３５には、撮像装置１における各種設定内容等が記憶される。
【００５９】
＜１−３．カスタムキー＞
＜配置＞
つぎに、カスタムキーＣ１，Ｃ２，Ｃ３（図１参照）について説明する。上述したように、各カスタムキーＣ１〜Ｃ３は、割り当て機能のカスタマイズが可能な操作部材である。
【００６０】
図４にも示すように、各カスタムキーＣ１，Ｃ２，Ｃ３は、撮像装置１の背面の右側領域ＲＲ内に配置されている。詳細には、各カスタムキーＣ１，Ｃ２，Ｃ３は、背面右側領域ＲＲのうち、右側周縁部ＲＥ１（例えば領域ＲＲの右端１／４領域）を除いた領域に配置されている。また、各カスタムキーＣ１，Ｃ２，Ｃ３は、背面右側領域ＲＲのうち、上側周縁部ＲＵ１（例えば領域ＲＲの上端１／４領域）を除いた領域に配置されている。したがって、各カスタムキーＣ１，Ｃ２，Ｃ３は、背面右側領域ＲＲのうち右側周縁部ＲＥ１と上側周縁部ＲＵ１との両領域を除いた領域ＲＢ（図中において斜線で示す）に配置されていることになる。
【００６１】
また、図１および図２に示すように、各カスタムキーＣ１，Ｃ２，Ｃ３は、背面モニタ１２よりも右側に配置されており、より詳細には、背面モニタ１２の右側周辺領域に配置されている。
【００６２】
ここにおいて、操作者は、撮像装置１の底面が地面に対して比較的水平に近い姿勢（「標準姿勢」ないし「横姿勢」とも称する）で撮影動作を行う際には、撮像装置１の右側に設けられたシャッターボタン１１に右手の人差し指を触れさせ、当該右手で撮像装置１の本体（詳細には右側部（グリップ部１４等））を把持して構図決めを行うことが多い。なお、本願では、原則として、標準姿勢（図１参照）を基準に左右上下を規定するものとする。
【００６３】
図１および図２においては、右手の指ＦＧ等の位置が併せて示されている。図１等では、撮像装置１の標準姿勢による撮影において、その途中で再生ボタン８６を押下している右手親指の位置が示されている。なお、撮像装置１の標準姿勢での撮影において、シャッターボタン１１を押下する時点では、右手親指は、図１に示す位置に存在してもよいが、誤操作を防止する観点からは、図１に示す位置よりも若干低い位置（例えばカスタムキーＣ１の右側真横且つ再生ボタン８６の真下付近）に存在することが好ましい。
【００６４】
このような標準姿勢による撮影を行うに際して、各カスタムキーＣ１，Ｃ２，Ｃ３は撮像装置１の背面右側領域ＲＲ（より詳細には領域ＲＢ）内に配置されているため、各カスタムキーＣ１，Ｃ２，Ｃ３は右手の指（特に右手親指）によって良好に操作される。特に、各カスタムキーＣ１，Ｃ２，Ｃ３は背面モニタ１２の右側周辺領域に配置されているため、右手親指による操作性が非常に良好である。
【００６５】
また、各カスタムキーＣ１，Ｃ２，Ｃ３は、撮像装置の標準姿勢での撮影において操作者が標準姿勢の撮像装置を右手を用いて把持するとき、当該右手の親指以外の部分の把持状態を実質的に変更することなく右手親指の関節（第１関節、第２関節および第３関節の少なくとも１つ以上）を動かすことによって対象操作部材に対する当該右手親指による操作が可能な範囲（以下、標準姿勢における「優良操作性領域」ないし「１等地」とも称する）に配置されている、とも表現される。標準姿勢における「優良操作性領域」は、例えば、図１において破線で囲まれる楕円領域ＡＲ１として表現される。また、この「優良操作性領域」の位置および大きさは、例えば、標準的な成人男性の手指の大きさを基準にして決定される。
【００６６】
したがって、操作者は、右手（詳細には手のひら）による把持状態を解除することなく且つ右手の把持部分をほとんどずらすこともなく、右手親指のみを移動することによって、各カスタムキーＣ１，Ｃ２，Ｃ３を押下操作することが可能であり、非常に高い操作性を得ることが可能である。すなわち、操作者は、右手による撮像装置１の把持状態を実質的に変更することなく、右手親指を所望のカスタムキーの位置へと移動させて当該カスタムキーを押下することができるので、高い操作性を得ることができる。なお、このような高い操作性は、右手のみを用いて（すなわち片手で）撮像装置１を把持している場合にも得ることができ、右手と左手との両方を用いて（すなわち両手で）撮像装置１を把持している場合にも得ることができる。
【００６７】
そして、このような高い操作性を有する各カスタムキーＣ１，Ｃ２，Ｃ３に、それぞれ、他の操作部材８４，８５，８６，８７，８８ａ〜８８ｄ，９２，９３，９４ａ〜９４ｄ等のいずれかの機能を割り当てることが可能である。例えば、カスタムキーＣ１にファンクションボタン８８ａの機能を割り当てること、カスタムキーＣ２にＩＳＯ感度ボタン９４ｂの機能を割り当てること、および／または、カスタムキーＣ３に再生ボタン８６の機能を割り当てることなどが可能である。
【００６８】
以上のように、非常に操作性の高いカスタムキーＣ１，Ｃ２，Ｃ３の操作によって、当該カスタムキーに割り当てられた機能を実現することが可能であるため、操作者は非常に高い操作感を得ることができる。
【００６９】
また、上記においては、各カスタムキーＣ１，Ｃ２，Ｃ３が、「優良操作性領域」内に配置されている場合を例示しているが、これに限定されない。
【００７０】
例えば、カスタムキーＣ１，Ｃ２，Ｃ３を、次述する「中操作性領域」内に配置するようにしてもよい。これによっても、高い操作性を得ることができる。
【００７１】
ここで、標準姿勢における「中操作性領域」は、操作者が標準姿勢の撮像装置を右手を用いて把持するとき、右手の親指以外の把持部分の把持位置および／または把持角度をずらして把持状態を実質的に変更することによれば、対象操作部材に対する右手親指による操作が可能になる範囲（領域）を意味するものとする。換言すれば、標準姿勢における「中操作性領域」は、操作者が標準姿勢の撮像装置を右手を用いて把持するとき、対象操作部材を右手親指で操作するためには、右手親指以外の右手による把持状態を実質的に変更する必要がある領域であるとも表現される。なお、上述の背面右側領域ＲＲは、このような「中操作性領域」の一部または全部と上述の「優良操作性領域」との両方を含む領域であるとも表現される。
【００７２】
これに対して、カスタムキーＣ１，Ｃ２，Ｃ３を、標準姿勢における「低操作性領域（次述）」に配置することも考えられる。例えば、カスタムキーＣ１，Ｃ２，Ｃ３を背面モニタ１２の左側周辺領域に配置することも考えられる。
【００７３】
ここで、標準姿勢における「低操作性領域」は、操作者が標準姿勢の撮像装置を右手を用いて把持するとき、対象操作部材を右手親指で操作するためには、右手（詳細には手のひらの大部分以上）を撮像装置から離すことなどによりその把持状態を実質的に解除する必要がある領域を意味するものとする。この「低操作性領域」は、「２等地」とも称される。なお、上述の「中操作性領域」は、この「低操作性領域（２等地）」と上述の「優良操作性領域（１等地）」との中間の操作性を有する領域であることから、「１．５等地」とも称される。
【００７４】
しかしながら、より高い操作性を得るためには、このような「低操作性領域（２等地）」にカスタムキーＣ１，Ｃ２，Ｃ３を配置するよりも、「中操作性領域（１．５等地）」にカスタムキーＣ１，Ｃ２，Ｃ３を配置することが好ましい。また、さらに高い操作性を得るためには、カスタムキーＣ１，Ｃ２，Ｃ３を「優良操作性領域（１等地）」に配置することが特に好ましい。
【００７５】
＜重畳的機能割当＞
また、各カスタムキーＣ１〜Ｃ３には、当該撮像装置１の他の操作部材に固定的に割り当てられている機能を重畳的に割り当てることが可能となるように、この撮像装置１は構成されている。当該他の操作部材（すなわち、機能が固定的に割り当てられている操作部材であって割当機能のカスタマイズが不可能な操作部材）を、機能固定操作部材Ｎ１とも称する。機能固定操作部材Ｎ１としては、上述の設定用の各種ボタン８４，８５，８６，８７，８８ａ〜８８ｄ，９２，９３，９４ａ〜９４ｄ等が例示される。
【００７６】
例えば、再生ボタン８６に割り当てられた所定の機能（すなわち再生モードへの変更指示機能）は、再生ボタン８６への割り当てが継続されたまま（換言すれば再生ボタン８６への割り当てが無効化されることなく）カスタムキーＣ３にも割り当て可能である。すなわち、再生ボタン８６に固定的に割り当てられている所定の機能は、カスタムキーＣ３に対して重畳的に割り当て可能である。
【００７７】
そして、再生ボタン８６の機能がカスタムキーＣ３にも割り当てられた場合には、再生モードへの変更指示を行うための操作として、再生ボタン８６の押下操作およびカスタムキーＣ３の押下操作のいずれをも用いることが可能である。したがって、再生モードへの変更指示機能を簡易な操作で実現するために、必ずしもカスタムキーＣ３を用いることを要さず、適宜に再生ボタン８６（機能固定操作部材Ｎ１）を用いることも可能である。この場合、操作の任意性が高いため、操作者にとって便利である。例えば、カスタムキーＣ３への割り当て内容についての操作者の記憶が曖昧であり操作者に迷いが生じるときなどにおいては、再生ボタン８６を用いて確実に当該機能を呼び出すことが可能である。特に、再生ボタン８６には当該ボタンの機能を示す図形が付されているので、視覚的に判りやすい。
【００７８】
なお、各カスタムキーＣ１，Ｃ２，Ｃ３への割り当て対象となる機能は、上述の各ボタン８４，８５，８６，８７，８８ａ〜８８ｄ，９２，９３，９４ａ〜９４ｄ等に割り当てられている機能に限定されない。撮像装置に設けられた上記以外のボタンに割り当てられている機能を、カスタムキーに割り当てるようにしてもよい。
【００７９】
あるいは、撮像装置に設けられたボタン以外の種類の操作部材（例えば、スライドスイッチ、ダイヤル等）に割り当てられている機能を、カスタムキーに割り当てるようにしてもよい。なお、ボタン以外の操作部材の機能をカスタムキー（カスタムボタン）に割り当てる場合には、操作部材の相違を考慮して上記の思想を適用すればよい。例えば、或るダイヤルの機能をカスタムキーに割り当てる場合には、回転操作に応じた設定操作を、カスタムキーのボタン押下操作に応じた設定操作に置き換えるように構成すればよい。すなわち、ダイヤルの回転操作ではなく、カスタムキー（カスタムボタン）の押下操作に応じて設定内容を変更するようにすればよい。
【００８０】
＜１−４．縦姿勢＞
上記においては、撮像装置１の底面が地面に対して比較的水平に近い姿勢（「横姿勢」）で、撮影動作が行われる際の操作性について説明してきた。
【００８１】
次に、撮像装置１の底面が地面に対して比較的垂直に近い姿勢（「縦姿勢」とも称する）で、撮影動作が行われる際の操作性について説明する。
【００８２】
上述の撮像装置１は、縦姿勢での撮影用（縦撮影用）の補助用品、具体的には、縦位置コントロールグリップ７を着脱可能である。ここでは、縦位置コントロールグリップ７を装着して縦姿勢での撮影および横姿勢での撮影を行う場合を想定する。
【００８３】
図５および図６は、縦位置コントロールグリップ７を装着した撮像装置１を示す背面図である。図５は横姿勢での撮影状態を示し、図６は縦姿勢での撮影状態を示す。
【００８４】
縦位置コントロールグリップ７は、シャッターボタン７９（不図示）とモード設定ボタン７２とマルチセレクタ７３とＡＦ／ＭＦコントロールボタン７４とＡＥロックボタン７５とを備えている。
【００８５】
シャッターボタン７９は、シャッターボタン１１と同様の構成を有しており、図６に示す縦姿勢において縦位置コントロールグリップ７の上面から若干下がった位置（図５の横姿勢では右側面から若干左側に入った位置）に設けられている。シャッターボタン７９は、奥行き方向においては前側の位置に設けられている。図６においては、縦姿勢での撮影における右手の各指ＦＧの位置が併せて示されている。シャッターボタン７９は、撮像装置１の縦姿勢において（図６参照）、シャッターボタン１１と同様の操作感で撮影開始指示等を入力することが可能である。この実施形態における縦姿勢での撮影においては、このシャッターボタン７９を右手の人差し指で押下する状況を前提とする。
【００８６】
また、モード設定ボタン７２、マルチセレクタ７３、ＡＦ／ＭＦコントロールボタン７４およびＡＥロックボタン７５は、それぞれ、モード設定ボタン９２（図２参照）、マルチセレクタ８３（図１参照）、ＡＦ／ＭＦコントロールボタン８４およびＡＥロックボタン８５と同様の構成を有しており、同様の機能を実現する。これらの操作部材７２，７３，７４，７５は、縦姿勢における背面右側に配置されており、高い操作性を有している。
【００８７】
縦位置コントロールグリップ７がカメラ本体部２に装着された状態において、縦位置コントロールグリップ７とカメラ本体部２との両者が電気的に接続され、各種操作部材７２〜７５の押下状態等が全体制御部１０１に伝達されるように構成されている。そのため、操作者は、縦姿勢による撮影の際、各操作部材７２，７３，７４，７５，７９を操作することによって、それぞれ対応する操作部材９２，８３，８４，８５，１１による操作で実現される機能と同様の機能を実現することが可能である。
【００８８】
また、図６に示すように、このような縦姿勢による撮影の際に、カスタムキーＣ２，Ｃ３は、楕円領域ＡＲ２内に配置されている。換言すれば、カスタムキーＣ２，Ｃ３は、縦姿勢における「優良操作性領域」（次述）に配置されている。したがって、縦姿勢での撮影においても、カスタムキーＣ２，Ｃ３の押下操作による非常に高い操作性を得ることができる。ここで、縦姿勢における「優良操作性領域」（「１等地」とも称する）は、撮像装置の縦姿勢での撮影において操作者が縦姿勢の撮像装置を右手を用いて把持するとき、当該右手の親指以外の部分の把持状態を実質的に変更することなく右手親指の関節（第１関節、第２関節および第３関節の少なくとも１つ以上）を動かすことによって対象操作部材に対する当該右手親指による操作が可能な範囲、を意味するものとする。
【００８９】
したがって、カスタムキーＣ２，Ｃ３は、標準姿勢（横姿勢）における「優良操作性領域」（例えば、図５の領域ＡＲ１）と縦姿勢における「優良操作性領域」（例えば、図６の領域ＡＲ２）との積領域（ＡＮＤ領域ないし重複領域）に配置されていることになる。そのため、いずれの姿勢においても当該カスタムキーＣ２，Ｃ３を非常に良好な操作性で操作することができる。
【００９０】
また、カスタムキーＣ１は、縦姿勢における「中操作性領域」（「１．５等地」とも称する）に配置されている。したがって、縦姿勢での撮影においても、カスタムキーＣ１を用いた良好な操作を行うことができる。なお、縦姿勢における「中操作性領域」は、操作者が縦姿勢の撮像装置を右手を用いて把持するとき、右手の親指以外の把持部分の把持位置および／または把持角度をずらして把持状態を実質的に変更することによれば、対象操作部材に対する右手親指による操作が可能になる範囲（領域）を意味するものとする。換言すれば、縦姿勢における「中操作性領域」は、操作者が縦姿勢の撮像装置を右手を用いて把持するとき、対象操作部材を右手親指で操作するためには、右手親指以外の右手による把持状態を実質的に変更する必要がある領域であるとも表現される。
【００９１】
また、カスタムキーＣ２，Ｃ３は、このような縦姿勢による撮影の際に、図６の縦姿勢における右側領域（すなわちシャッターボタン７９に近い側の右半領域）に配置されている。このように、カスタムキーは、横姿勢における背面右側領域と縦姿勢における背面右側領域との積領域に配置されることが好ましい。これによれば、いずれの姿勢においても当該カスタムキーを良好な操作性で操作することができる。
【００９２】
ところで、撮像装置１の横姿勢において、再生ボタン８６は背面右上部に設けられており、再生ボタン８６自身も非常に操作しやすい部位（詳細には、標準姿勢（横姿勢）における「優良操作性領域（１等地）」内）に配置されている。したがって、操作者は、撮像装置１の横姿勢で撮影する際には、再生ボタン８６を用いて再生モードへの変更指示機能を非常に高い操作性で実行することが可能である。
【００９３】
しかしながら、撮像装置１の縦姿勢においては、再生ボタン８６は左端領域（この場合には、縦姿勢における「低操作性領域」（２等地とも称する））に位置することになるため（図６参照）、再生ボタン８６を右親指で操作する際の操作性は良好ではない。なお、縦姿勢における「低操作性領域」は、操作者が縦姿勢の撮像装置を右手を用いて把持するとき、対象操作部材を右手親指で操作するためには、右手（詳細には手のひらの大部分以上）を撮像装置から離すことなどによりその把持状態を実質的に解除する必要がある領域を意味するものとする。
【００９４】
これに対して、カスタムキーＣ２，Ｃ３は、縦姿勢においても右親指による良好な操作性を得ることが可能な範囲（例えば「優良操作性領域（１等地）」）に存在する。
【００９５】
したがって、カスタムキーＣ２（またはＣ３）に再生ボタン８６の機能を割り当てておけば、操作者は、撮像装置１の縦姿勢で撮影する際には、カスタムキーＣ２（またはＣ３）を用いて再生モードへの変更指示機能を実行することが可能である。
【００９６】
このように、横姿勢における「優良操作性領域（１等地）」内に存在する再生ボタン８６の機能を、縦姿勢における「優良操作性領域（１等地）」内に存在するカスタムキーＣ２（またはＣ３）に割り当てることが可能である。そして、この場合、横姿勢では再生ボタン８６を用い縦姿勢ではカスタムキーＣ２（またはＣ３）を用いた操作を行うことによって、横姿勢および縦姿勢の双方において、高い操作性を得ることが可能である。特に、再生ボタン８６が縦姿勢での「優良操作性領域（１等地）」に存在しない場合でも、縦姿勢においてはカスタムキーＣ２（またはＣ３）を用いた操作を行うことによって、縦姿勢でも非常に高い操作性を得ることが可能である。
【００９７】
なお、上述の再生ボタン８６およびカスタムキーＣ２（またはＣ３）の配置状況は、再生ボタン８６が撮像装置１の横姿勢における背面右側領域内に配置され、且つ、カスタムキーＣ２（またはＣ３）が縦姿勢における背面右側領域内に配置されている状況であるとも表現される。
【００９８】
また、仮に、再生ボタン８６が横姿勢における「優良操作性領域（１等地）」ではなく、横姿勢における「中操作性領域（１．５等地）」（例えば、図５のＡＥロックボタン８５の位置）に存在する状況を想定する。このような状況であっても、横姿勢における背面右側領域内に存在する再生ボタン８６の機能を、縦姿勢における背面右側領域内に存在するカスタムキーＣ２（またはＣ３）に割り当てることが可能である。そして、この場合、横姿勢では再生ボタン８６を用い縦姿勢ではカスタムキーＣ２（またはＣ３）を用いた操作を行うことによって、横姿勢および縦姿勢の双方において、高い操作性を得ることが可能である。
【００９９】
＜１−５．設定変更動作＞
図７は、カスタムキーＣ１，Ｃ２，Ｃ３の割り当て機能に関する設定変更動作を示すフローチャートであり、図８〜図１１は、背面モニタ１２に表示される各種画面Ｇ１１〜Ｇ１４をそれぞれ示す図である。これらの図を参照しながら、当該設定変更動作について説明する。ここでは、カスタムキーＣ１に再生ボタン８６の機能を割り当てる場合について例示するが、他の割り当て動作についても同様である。
【０１００】
まず、操作者がメニューボタン８７を押下すると、この押下操作に応答して、撮像装置１は背面モニタ１２にメニュー画面Ｇ１１（図８参照）を表示する（ステップＳＰ１１）。メニュー画面Ｇ１１には、「カスタムキー変更」を含む複数の選択肢が表示されている。
【０１０１】
その後、操作者が、マルチセレクタ８３を操作して複数の選択肢の中から所望の選択肢すなわち「カスタムキー変更」を選択すると、撮像装置１は、「カスタムキー変更」を行うべき旨の指示入力がされたものとみなす（ステップＳＰ１２）。なお、このような選択操作は、例えば、マルチセレクタ８３のスティック部８３ｅによる上下移動操作（または左右移動操作）を用いてカーソル（図８においては斜線領域に相当）を移動させ複数の選択肢の中から所望の選択肢（ここでは「カスタムキー変更」）にカーソルを合わせて、スティック部８３ｅを押下することによって行われる。
【０１０２】
そして、撮像装置１は背面モニタ１２に画面Ｇ１２を表示する。画面Ｇ１２には、複数のカスタムキーの名称が現時点でのそれぞれの割付機能とともに表示されている。例えば、図９の画面Ｇ１２においては、カスタムキーＣ１には「画サイズ」（画像サイズ）の設定機能が割り当てられていること、および、カスタムキーＣ２には「ＩＳＯ」（ＩＳＯ感度）の設定機能が割り当てられていることが表示されている。
【０１０３】
次に、操作者は、画面Ｇ１２内に表示される選択肢の中から、マルチセレクタ８３を用いて、変更対象（カスタマイズ対象）のカスタムキーを選択する（ステップＳＰ１３）。当該選択操作に応答して、撮像装置１は、変更対象として選択されたカスタムキーを特定し、当該カスタムキーに割り当て可能な機能をリスト表示する画面Ｇ１３（図１０）を背面モニタ１２に表示する。
【０１０４】
今度は、操作者は、画面Ｇ１３内に表示される選択肢の中から、マルチセレクタ８３を用いて、割り当てるべき機能を選択する（ステップＳＰ１４）。
【０１０５】
この選択操作に応答して、撮像装置１は、割り当て対象として操作者によって選択された機能を特定し、選択内容を確認する画面Ｇ１４を表示する（ステップＳＰ１５）。図１１の画面Ｇ１４においては、「カスタムキー１（Ｃ１）に再生キーをアサインする（割り当てる）」という設定内容で良い（「Ｙｅｓ」）か否か（「Ｎｏ」）を確認すべき旨が表示されている。
【０１０６】
操作者によって、選択肢「Ｎｏ」が選択されて、設定内容が正しくない旨が入力されると、ステップＳＰ１４に戻り、再び割り当て機能の再選択動作に移行する。一方、操作者によって選択肢「Ｙｅｓ」が選択されて、設定内容が正しい旨が入力されると、ステップＳＰ１６に進む。
【０１０７】
ステップＳＰ１６においては、撮像装置１は、ステップＳＰ１３で選択されたカスタムキーに対してステップＳＰ１４で選択された機能を割り当てる旨の新たな設定内容（「カスタムキーＣ１」に「再生キー」の機能を割り当てる」）を記憶する。詳細には、不揮発性メモリ１３５内に記憶されていた設定内容を新たな設定内容で上書きして、設定内容を更新する。その後、撮像装置１は、「カスタムキー変更」動作を終了し、背面モニタ１２はメニューボタン８７押下前の表示状態に戻る（ステップＳＰ１７）。
【０１０８】
上記のような設定変更動作が終了すると、変更対象のカスタムキーの割り当て内容が変更されている。図１２は設定変更前の設定内容を示す図であり、図１３は設定変更後の設定内容を示す図である。図１２と図１３とを比較すると判るように、ここではカスタムキーＣ１の割付機能が「画サイズ設定」から「画像再生」へと変更されている。
【０１０９】
当該設定変更後においては、新たな割り当て内容（設定内容）に依拠し、各カスタムキーＣ１，Ｃ２，Ｃ３の押下に応答して、押下されたキーに対応する機能が実行される。
【０１１０】
＜２．その他＞
以上、この発明の実施の形態について説明したが、この発明は上記説明した内容のものに限定されるものではない。
【０１１１】
たとえば、上記においては、或る時点においては、各カスタムキーＣ１，Ｃ２，Ｃ３にそれぞれ単一の機能が選択的に割り当てられる場合を例示したが、これに限定されない。具体的には、各カスタムキーＣ１，Ｃ２，Ｃ３にそれぞれ複数の機能を割り当てるようにしてもよい。例えば、カスタムキーＣ１，Ｃ２，Ｃ３の通常押しと長押しとで異なる機能を割り当てるようにしてもよい。詳細には、カスタムキーＣ１，Ｃ２，Ｃ３の押下期間の相違（長短）に応じて複数の押下状態（ここでは通常押し状態および長押し状態）を区別して検出し、当該複数の押下状態のそれぞれに対して異なる機能を割り当て可能となるようにしてもよい。例えば、１秒より長い期間にわたるカスタムキーの押下状態を「長押し状態」と判定し、１秒以下の短い期間にわたるカスタムキーの押下状態を「通常押し状態」と判定すればよい。
【０１１２】
図１４は、このような変形例に関する設定変更動作を示すフローチャートであり、図１５〜図１９は、背面モニタ１２に表示される各種画面Ｇ２２〜Ｇ２６をそれぞれ示す図である。これらの図を参照しながら、この変形例に係る設定変更動作について説明する。ここでは、「カスタムキーＣ３」の長押し操作に「再生キー」の機能を割り当てる」場合について例示するが、他の割り当て動作についても同様である。
【０１１３】
まず、操作者がメニューボタン８７を押下すると、撮像装置１は背面モニタ１２にメニュー画面Ｇ１１（図８参照）を表示する（ステップＳＰ２１）。
【０１１４】
その後、操作者が、複数の選択肢の中から所望の選択肢すなわち「カスタムキー変更」を選択する（ステップＳＰ２２）と、撮像装置１は、「カスタムキー変更」を行うべき旨の指示入力がされたものとみなし、背面モニタ１２に画面Ｇ２２を表示する。
【０１１５】
画面Ｇ２２には、現時点での割り当て状態が示されている。詳細には、複数（ここでは３つ）のカスタムキーＣ１〜Ｃ３のそれぞれについて、通常押し状態に対する割り当て内容と長押し状態に対する割り当て内容とが示されている。図１５においては、カスタムキーＣ１の通常押し状態に対して「画サイズ」が割り当てられており、カスタムキーＣ１の長押し状態に対して「ストロボ」が割り当てられている。また、カスタムキーＣ２の通常押し状態に対して「ＷＢ」が割り当てられており、カスタムキーＣ２の長押し状態に対して「メニュー」が割り当てられている。さらに、カスタムキーＣ３の通常押し状態に対して「ＩＳＯ」が割り当てられており、カスタムキーＣ３の長押し状態に対しても「ＩＳＯ」が割り当てられている。
【０１１６】
次に、操作者は、画面Ｇ２２内に表示される選択肢の中から、マルチセレクタ８３を用いて、変更対象（カスタマイズ対象）のカスタムキー（ここではカスタムキーＣ３）を選択する（ステップＳＰ２３）。当該選択操作に応答して、撮像装置１は、変更対象として選択されたカスタムキーを特定し、今度は、変更対象となる「押下状態」を選択するための画面Ｇ２３（図１６）を背面モニタ１２に表示する。
【０１１７】
操作者は、画面Ｇ２３に表示される選択肢の中から、マルチセレクタ８３を用いて、変更対象の「押下状態」（ここでは「長押し」）を選択する（ステップＳＰ２４）。当該選択操作に応答して、撮像装置１は、変更対象として選択された押下状態を特定し、今度は、割り当て可能な機能をリスト表示する画面Ｇ２４（図１７）を背面モニタ１２に表示する。
【０１１８】
操作者は、画面Ｇ２４に表示される選択肢の中から、マルチセレクタ８３を用いて、割り当てるべき機能を選択する（ステップＳＰ２５）。
【０１１９】
この選択操作に応答して、撮像装置１は、割り当て対象として操作者によって選択された機能を特定し、選択内容を確認する画面Ｇ２５（図１８）を表示する（ステップＳＰ２６）。図１８の画面Ｇ２５においては、「カスタムキーＣ３の長押し操作に再生キーをアサインする」という設定内容で良いか否かを確認すべき旨が表示されている。
【０１２０】
操作者によって設定内容が正しくない旨が入力されると、ステップＳＰ２５に戻り、再び割り当て機能の再選択動作に移行する。一方、操作者によって設定内容が正しい旨が入力されると、ステップＳＰ２７に進む。
【０１２１】
ステップＳＰ２７においては、撮像装置１は、ステップＳＰ２３で選択されたカスタムキーのステップＳＰ２４で選択された押下状態に対して、ステップＳＰ２５で選択された機能を割り当てるべく、新たな設定内容を記憶する。具体的には、不揮発性メモリ１３５内に記憶されていた設定内容を新たな設定内容で上書きして、設定内容を更新する。その後、ステップＳＰ２３に戻ると、撮像装置１は、設定変更前の設定内容を表示する画面Ｇ２２に代えて、新たな設定内容を表示する画面（設定内容確認用画面）Ｇ２６を背面モニタ１２に表示する。
【０１２２】
その後、この変形例では、同様にして、各カスタムキーＣ１〜Ｃ３の設定変更動作が継続される。なお、設定変更動作が全て完了した際あるいは設定変更動作を中止する際には、適宜のボタンを押下すればよい。例えば、シャッターボタン１１が押下されると、当該設定動作は終了し、背面モニタ１２が消灯され撮影準備状態に移行する。あるいは、メニューボタン８７の押下によってメニュー画面を表示させて他の設定操作等を行うことも可能である。
【０１２３】
上記のような設定変更動作が終了すると、各カスタムキーＣ１，Ｃ２，Ｃ３の割り当て内容が変更されている。当該設定変更後においては、新たな割り当て内容に依拠し、各カスタムキーＣ１，Ｃ２，Ｃ３の押下に応答して、押下されたキーに対応する機能が実行される。
【０１２４】
以上のような変形例によれば、或る時点において各カスタムキーＣ１，Ｃ２，Ｃ３のそれぞれに対して複数の機能を割り当てることができるので、右手親指による操作可能範囲内という限られたスペースに配置される限られた数のカスタムキーＣ１，Ｃ２，Ｃ３を有効に利用することができる。
【０１２５】
また、上記実施形態においては、カスタムキーＣ１，Ｃ２，Ｃ３を背面モニタ１２の右側周辺領域に配置する場合を例示しているが、これに限定されない。例えば、図２０に示すように、光学ファインダ１０よりも右側、より詳細には光学ファインダ１０の右側周辺領域に、割り当て機能のカスタマイズが可能なカスタムキーＣ４を配置するようにしてもよい。
【０１２６】
また、本願においては、各操作部材の全体が当該領域に存在する場合だけでなく、各操作部材の中央部分ないし主要部分が当該各領域に存在する場合であっても、操作部材が或る領域内に配置されているとみなすものとする。
【０１２７】
また、或る１つの機能固定操作部材Ｎ１に複数の機能がモード等に応じて割り当てられている場合においては、当該機能固定操作部材Ｎ１に割り当てられた複数の機能の全てをモード等に応じてカスタムキーに割り当てるようにしてもよい。例えば、ＡＥロックボタン８５に割り当てられた３つの機能、具体的には、（通常撮影モードにおける）「ＡＥロック」指示機能と、（フラッシュ撮影モードにおける）「スローシンクロ」切換機能と、（再生モードにおける）「削除」指示機能との全てを、各モードに応じてカスタムキーＣ３に割り当てるようにしてもよい。ただし、これに限定されず、当該機能固定操作部材Ｎ１に割り当てられた複数の機能の一部をカスタムキーに割り当てるようにしてもよい。例えば、ＡＥロックボタン８５に割り当てられた３つの機能のうち「削除」機能のみをカスタムキーＣ３に割り当てるようにしてもよい。
【０１２８】
また、上記実施形態等においては、割り当て機能のカスタマイズが可能な操作部材として、ボタン式のカスタムキー（カスタムボタン）を採用する場合を例示したが、これに限定されず、スライドスイッチあるいはダイヤルなどのその他のタイプの操作部材を採用してもよい。
【図面の簡単な説明】
【０１２９】
【図１】撮像装置の背面外観図である。
【図２】撮像装置の上面外観図である。
【図３】撮像装置の機能ブロック図である。
【図４】撮像装置の背面を示す概念図である。
【図５】縦位置コントロールグリップを装着した撮像装置（横姿勢）を示す背面図である。
【図６】縦位置コントロールグリップを装着した撮像装置（縦姿勢）を示す背面図である。
【図７】割り当て機能の設定変更動作を示すフローチャートである。
【図８】背面モニタの表示画面を示す図である。
【図９】背面モニタの表示画面を示す図である。
【図１０】背面モニタの表示画面を示す図である。
【図１１】背面モニタの表示画面を示す図である。
【図１２】設定変更前の設定内容を示す図である。
【図１３】設定変更後の設定内容を示す図である。
【図１４】変形例に関する設定変更動作を示すフローチャートである。
【図１５】背面モニタの表示画面を示す図である。
【図１６】背面モニタの表示画面を示す図である。
【図１７】背面モニタの表示画面を示す図である。
【図１８】背面モニタの表示画面を示す図である。
【図１９】背面モニタの表示画面を示す図である。
【図２０】別の変形例に係る撮像装置を示す背面図である。
【符号の説明】
【０１３０】
１  撮像装置
２  カメラ本体部
３  撮影レンズユニット
７  縦位置コントロールグリップ
１０  光学ファインダ
１１  シャッターボタン
１２  背面モニタ
１４  グリップ部
７２，９２  モード設定ボタン
７３，８３  マルチセレクタ
７４，８４  ＡＦ／ＭＦコントロールボタン
７５，８５  ＡＥロックボタン
８１  メインスイッチ
８２，９１  コマンドダイヤル
８６  再生ボタン
８７  メニューボタン
Ｃ１〜Ｃ４  カスタムキー（カスタムボタン）
ＡＲ１，ＡＲ２  優良操作性領域
ＲＲ  背面右側領域
【図１】
2008098819.tif 000003
【図２】
2008098819.tif 000004
【図３】
2008098819.tif 000005
【図４】
2008098819.tif 000006
【図５】
2008098819.tif 000007
【図６】
2008098819.tif 000008
【図７】
2008098819.tif 000009
【図８】
2008098819.tif 000010
【図９】
2008098819.tif 000011
【図１０】
2008098819.tif 000012
【図１１】
2008098819.tif 000013
【図１２】
2008098819.tif 000014
【図１３】
2008098819.tif 000015
【図１４】
2008098819.tif 000016
【図１５】
2008098819.tif 000017
【図１６】
2008098819.tif 000018
【図１７】
2008098819.tif 000019
【図１８】
2008098819.tif 000020
【図１９】
2008098819.tif 000021
【図２０】
2008098819.tif 000022